(57)【要約】【課題】３入力から６出力の色分解テーブルを作成する場合であっても、出力となる濃度特性を保持しつつ、総色材量を総色材量制限値を超えないような色分解を実現する。また、４次元の階調性の滑らかさや最適化を保持した色分解を実現する。【解決手段】濃インクと淡インクとの合計色材量を、総色材量制限値と、濃インクと淡インク以外のインクの色材量を含む色材量との関係から求める。そして、濃インクと淡インクとの色材量の合計を平滑化し、平滑化により求められた平滑化後の濃インクと淡インクとの色材量の合計と総色材量制限値と比較して、平滑化後のインクの色材量が総色材量制限値を超えた場合、総色材量制限値を補正する。補正後の総色材量制限値を使用して、再び色分解を行い、平滑化を行なう。【選択図】図１１
2007281700.tif 000002
【特許請求の範囲】
【請求項１】
画像信号を記録装置で用いる色材の信号に変換する処理であって、濃色材の色材値と淡色材の色材値とを含む色材信号に変換するための色分解方法において、
前記画像信号と、前記色材信号の色材値との関係を、前記色材信号の色材値の合計が総色材量制限値以下となるように求める色分解工程と、
前記求められた前記色材信号の色材値の合計を、前記画像信号間で平滑化する平滑化工程と、
前記平滑化により求められた平滑化後の前記色材信号の色材量の合計と前記総色材量制限値とを前記画像信号毎に比較する比較工程と、
前記平滑化後の前記色材信号の色材値の合計が前記総色材量制限値を超えた場合、前記総色材量制限値を小さくする補正を行なう補正工程と、
前記補正された総色材量制限値を用いて、前記色分解工程、前記平滑化工程、および前記比較工程を、前記色材信号の色材値の合計が目標の前記総色材量制限値以下となるまで繰り返す工程と、
を有したことを特徴とする色分解方法。  
【請求項２】
前記平滑化工程は、４次元のフィルタリング処理により平滑化することを特徴とする、請求項１に記載の色分解方法。
【請求項３】
前記フィルタリング処理は、ローパスフィルタにより行われることを特徴とする、請求項２に記載の色分解方法。
【請求項４】
画像信号を記録装置で用いる色材の信号に変換する処理であって、濃色材の色材値と淡色材の色材値とを含む色材信号に変換するための色分解テーブルを作成する画像処理装置において、
前記画像信号と、前記色材信号の色材値との関係を、前記色材信号の色材値の合計が総色材量制限値以下となるように求める色分解手段と、
前記求められた前記色材信号の色材値の合計を、前記画像信号間で平滑化する平滑化手段と、
前記平滑化により求められた平滑化後の前記色材信号の色材量の合計と前記総色材量制限値とを前記画像信号毎に比較する比較手段と、
前記平滑化後の前記色材信号の色材値の合計が前記総色材量制限値を超えた場合、前記総色材量制限値を小さくする補正を行なう補正手段と、
前記補正された総色材量制限値を用いて、前記色分解手段、前記平滑化手段、および前記比較手段を、前記色材信号の色材値の合計が目標の前記総色材量制限値以下となるまで繰り返す手段と、
を有したことを特徴とする画像処理装置。  
【請求項５】
前記平滑化手段は、４次元のフィルタリング処理により平滑化することを特徴とする、請求項４に記載の画像処理装置。
【請求項６】
前記フィルタリング処理は、ローパスフィルタにより行われることを特徴とする、請求項５に記載の画像処理装置。
【請求項７】
コンピュータに、画像信号を記録装置で用いる色材の信号に変換する処理であって、濃色材の色材値と淡色材の色材値とを含む色材信号に変換するための色分解を実行させるプログラムであって、
前記画像信号と、前記色材信号の色材値との関係を、前記色材信号の色材値の合計が総色材量制限値以下となるように求める色分解工程と、
前記求められた前記色材信号の色材値の合計を、前記画像信号間で平滑化する平滑化工程と、
前記平滑化により求められた平滑化後の前記色材信号の色材量の合計と前記総色材量制限値とを前記画像信号毎に比較する比較工程と、
前記平滑化後の前記色材信号の色材値の合計が前記総色材量制限値を超えた場合、前記総色材量制限値を小さくする補正を行なう補正工程と、
前記補正された総色材量制限値を用いて、前記色分解工程、前記平滑化工程、および前記比較工程を、前記色材信号の色材値の合計が目標の前記総色材量制限値以下となるまで繰り返す工程と、
を有したことを特徴とするプログラム。  
【発明の詳細な説明】
【技術分野】
【０００１】
本発明は、色分解方法および画像処理装置に関し、特に、画像信号をインクやトナーなどの色材量の信号に変換する際の色分解に関するものである。
【背景技術】
【０００２】
従来から、記録装置の基本色材であるシアン、マゼンタ、イエロー、ブラックに加えて、これらの色の淡色の色材を用いて記録を行う場合がある。その場合、淡色を含む色材信号に色分解する方法として、ある色の濃色材の信号を、濃淡それぞれの色材信号へと色分解する方法が知られている（特許文献１、特許文献２、特許文献３、特許文献４）。
【０００３】
図１５は、これらの色分解を実行する画像システムの構成の例を示す図である。コントローラ部１５０１には、パーソナルコンピュータからレッド、グリーン、ブルーの画像信号Ｒ０，Ｇ０，Ｂ０や、シアン、マゼンタ、イエロー、ブラックの画像信号Ｃ０，Ｍ０，Ｙ０，Ｋ０が送られる。そして、コントローラ部１５０１では、これらの画像信号を所定の色分解テーブルを用いるなどして、プリンタ等で用いる色材の信号Ｃ１，Ｍ１，Ｙ１，Ｋ１のデータに変換する。この色分解処理は、Ｒ０，Ｇ０，Ｂ０がｓＲＧＢ等のモニタ色を示す信号の場合には、モニタでの再現色とプリンタなど画像形成装置での再現色とが同一になるように処理される。また、Ｃ０，Ｍ０，Ｙ０，Ｋ０が印刷での再現色を示す信号である場合には、印刷での再現色と画像形成装置での再現色とが同一になるように処理される。
【０００４】
次に、シアン色材濃淡分解部１５０２において、例えば、図１６に示すテーブルを用いてシアン色材の信号値Ｃ１を、濃シアンの色材値Ｃ３と淡シアンの色材値Ｌｃ３とに色分解する。同様に、マゼンタ色材濃淡分解部１５０３において、マゼンタ色材の信号値Ｍ１を、濃マゼンタの色材値Ｍ３と淡マゼンタの色材値Ｌｍ３とに色分解する。
【０００５】
このような処理を行うことで、Ｒ，Ｇ，Ｂの３入力からＣ，Ｍ，Ｙ，Ｋ，Ｌｃ，Ｌｍの濃淡６つの色材信号を得ることができる。
【０００６】
一方、特許文献５には、上述した色分解で用いるテーブルの平滑化処理が記載されている。具体的には、２次元平面に対してＮ×Ｎのフィルタリング処理（Ｎは定数）を、３次元空間に対してＮ×Ｎ×Ｎのフィルタリング処理をそれぞれ行うことが記載されている。かかる処理により内部補間を行いテーブルを作成する場合に、テーブルの格子点データの不連続等に起因して記録画像に生じ得る擬似輪郭を抑制することができる。
【０００７】
【特許文献１】特開平０６−２２６９９８号公報
【特許文献２】特開平０９−１６３１６１号公報
【特許文献３】特開２００３−２３００２０号公報
【特許文献４】特開平１０−０９８６２５号公報
【特許文献５】特開２００３−１１６０１６号公報
【発明の開示】
【発明が解決しようとする課題】
【０００８】
ところで、色材や記録媒体の特性によっては、全色材の色材量を合計した総色材量が、色材や記録媒体などの特性によって定まる制限量を超えることがあり、画像品位の低下をもたらすことがある。すなわち、Ｃ，Ｍ，Ｙ，Ｋ，Ｌｃ，Ｌｍの総色材量が、総色材量制限を超えた場合、例えば、電子写真プリンタでは、画像が記録媒体に定着することができず、剥がれてしまう場合が生じる。また、インクジェットプリンタでは、インクが記録媒体に吸収できずにあふれてしまう場合が生じる。
【０００９】
これに対し、色材量を補正する処理を行うことも知られている。しかしながら、図１５に示した処理では、シアン、マゼンタの色材の濃淡色分解に関し、それぞれ独立に１次元の濃淡色分解を行っている。この場合、総色材量を一定以下に制限する補正は、比較的困難なものとなる。すなわち、１次元の濃淡色分解が行なわれることから、それによって生成される濃淡の色材信号（色材量）は、他の色の色材量と関連付けられていない。そのため、総ての色材量について全体的に色材量を低下させて制限値内に治めることが困難となる。
【００１０】
また、この問題は、上述した平滑化処理についても当てはまることである。すなわち、濃淡色分解が別のテーブルを用いて行なわれる場合には、平滑化処理において、テーブルによって得られるそれぞれの色材量を関連付けることができない。その結果、平滑化処理を行っても、最終的に得られる色材量が格子点間で滑らかに変化しない場合もある。
【００１１】
ここで、Ｃ，Ｍ，Ｙ，Ｋ，Ｌｃ，Ｌｍの色材量を関連付けて出力できるテーブルを考慮できたとしても、次のような問題が新たに派生する。スムージング処理では、フィルタリング処理の後に総色材量を総色材量制限値以下にする補正を行っていることから、フィルタリング後に色材量の値が修正される。そのため、スムージング処理の後に、再び総色材量が総色材量制限値を超えることがある。
【００１２】
さらに、スムージング処理を行った後に総色材量を超えた格子点に対して総色材量を補正した場合、先に行ったスムージング処理により保たれた滑らかさが損なうこととなり、擬似輪郭が生じるおそれがある。
【００１３】
本発明はこのような観点からなされたものであり、総ての色材信号の色材量が関連付けられた色分解テーブルの作成方法および画像処理装置を提供することを目的とする。さらに、色材信号の総色材量が総色材量制限値を超えず、かつ色材信号が滑らかに変化する色分解テーブルの作成方法および画像処理装置を提供することを目的とする。
【課題を解決するための手段】
【００１４】
そのために本発明では、画像信号を記録装置で用いる色材の信号に変換する処理であって、濃色材の色材値と淡色材の色材値とを含む色材信号に変換するための色分解方法において、前記画像信号と、前記色材信号の色材値との関係を、前記色材信号の色材値の合計が総色材量制限値以下となるように求める色分解工程と、前記求められた前記色材信号の色材値の合計を、前記画像信号間で平滑化する平滑化工程と、前記平滑化により求められた平滑化後の前記色材信号の色材量の合計と前記総色材量制限値とを前記画像信号毎に比較する比較工程と、前記平滑化後の前記色材信号の色材値の合計が前記総色材量制限値を超えた場合、前記総色材量制限値を小さくする補正を行なう補正工程と、前記補正された総色材量制限値を用いて、前記色分解工程、前記平滑化工程、および前記比較工程を、前記色材信号の色材値の合計が目標の前記総色材量制限値以下となるまで繰り返す工程と、を有したことを特徴とする。  
【発明の効果】
【００１５】
以上の構成によれば、淡インクを含むインクの色分解を行う場合であって、平滑化処理により、各出力色材量の値が変更され、総色材量制限値を超えた場合であっても、補正により総色材量制限値を超えないような色分解を行なうことができる。その結果、出力となる濃度特性を保持しつつ、総色材量を総色材量制限値を超えないような色分解を実現するテーブルを提供することができる。また、４次元の階調性の滑らかさや最適化を保持した色分解を実現するテーブルを提供することができる。
【発明を実施するための最良の形態】
【００１６】
以下に図面を参照して本発明における実施形態を詳細に説明する。
【００１７】
（実施形態１）
図１は、本発明の一実施形態にかかる記録システムの構成を示すブロック図である。パーソナルコンピュータ等のコンピュータ１０１とモニタ等の表示装置１０２はプリンタ等の記録装置１０４のホスト装置を構成する。すなわち、コンピュータ１０１は、モニタ１０２に表示される画像などをプリンタ１０４によって記録するために、記録のための画像データを保持し、記録に際してこれをプリンタ１０４に供給する。また、コンピュータ１０１は、プリンタの特性を調べるためのパッチデータを保持しており、パッチデータをプリンタ１０４で記録するためのドライバ等を格納している。モニタ１０２には、プリンタの特性を調べるためのパッチパターン１０３を表示することができ、プリンタ１０４で出力されたサンプルパッチ１０５はスキャナ等の測色器１０６で測定される。
【００１８】
図２は、図１に示すプリンタ１０４等の画像処理装置の構成を示すブロック図である。同図において、２０１はコントローラ部を示し、コントローラ部は、コンピュータからの画像データＲ０，Ｇ０，Ｂ０のデータまたはＣ０，Ｍ０，Ｙ０，Ｋ０のデータをＣ１，Ｍ１，Ｙ１，Ｋ１に変換する。例えば、入力の画像信号Ｒ０，Ｇ０，Ｂ０がｓＲＧＢ等のモニタ色を示す信号の場合は、モニタでの再現色とプリンタ１０４での再現色が同一になるような色分解処理が行われる。また、Ｃ０，Ｍ０，Ｙ０，Ｋ０が記録における再現色を示す信号の場合には、記録での再現色とプリンタ１０４におけるＣＭＹＫの基本色での再現色が同一となるような色分解処理がなされる。
【００１９】
２０２は４６変換補間演算処理部を示し、この処理部は４６変換テーブル部２０３のテーブル情報に基づき、四面体補間や立方体補間等の公知の補間方法により補間演算処理を行う。４６変換テーブル部２０３は、４入力６出力の４次元テーブルである。このテーブルは、Ｃ＿ｉｎｋ（Ｃ，Ｍ，Ｙ，Ｋ），Ｍ＿ｉｎｋ（Ｃ，Ｍ，Ｙ，Ｋ），Ｙ＿ｉｎｋ（Ｃ，Ｍ，Ｙ，Ｋ），Ｋ＿ｉｎｋ（Ｃ，Ｍ，Ｙ，Ｋ），Ｌｃ＿ｉｎｋ（Ｃ，Ｍ，Ｙ，Ｋ），Ｌｍ＿ｉｎｋ（Ｃ，Ｍ，Ｙ，Ｋ）で構成される。
【００２０】
テーブルは、４入力Ｃ，Ｍ，Ｙ，Ｋについて、０、１０、２０、３０、４０、５０、６０、７０、８０、９０、１００の値を有する１１格子で構成される。したがって、４次元テーブルの格子点の数は１１×１１×１１×１１の合計１４６４１点となる。各格子点には、後述する図３および図４の処理により色分解画像処理方法により決定されたＣ，Ｍ，Ｙ，Ｋ，Ｌｃ，Ｌｍの各色材量データが格納される。４６変換テーブル部２０３を参照して４６変換補間演算処理部２０２で変換されたＣ２，Ｍ２，Ｙ２，Ｋ２，Ｌｃ２，Ｌｍ２の色材色データは、画像処理生成部２０４に送られる。そして、かかるデータに基づいて、画像形成処理がなされ記録される。
【００２１】
図３は、図２に示す４６変換テーブル部２０３に格納される４６変換テーブルを作成するためのフローチャートを示す。ステップＳ１はスタートステップであり、テーブルの作成を開始する。ステップＳ２は濃淡色材のクロスパッチを印刷する工程である。
【００２２】
図４は、ステップＳ２で印刷されるクロスパッチの例を示す。同図に示すように、横方向には、Ｃ，Ｍ等の濃インクを０％から１００％まで１０％ずつ変化させ、縦方向には、Ｌｃ，Ｌｍ等の淡インクを０％から１００％まで１０％ずつ変化させ、パッチをクロス上に分布させる。
【００２３】
ステップＳ３では、ステップＳ２で印刷されたクロスパッチを測色して、濃淡色材の濃度特性を得る。そして、ステップＳ４では、クロスパッチの測色結果に基づいて、濃度特性と色材量特性のマップを作成する。
【００２４】
図５は、ステップＳ４で作成されるマップの例を示す図である。濃インクの濃度を横軸に、淡インクの濃度を縦軸にとり、濃インクと淡インクの組合せにより再現される色の濃度が同一である点を結び、かかるラインを等濃度ラインとする。また、濃インクと淡インクとを組合せたインクの量（色材量）が同一である点を結び、かかるラインを等色材量ラインとする。
【００２５】
ステップＳ５は、濃淡色分解基本特性テーブルを作成する工程である。濃淡色分解基本特性テーブルは、図１を用いて説明したように、出力濃淡合計色材量算出部で、出力する濃度と、出力する濃インク（Ｃ，Ｍ）と淡インク（Ｌｃ，Ｌｍ）との合計色材量を算出するために基本となるテーブルである。濃淡色分解基本テーブルは、かかるテーブルに入力される濃インクの色材量データ（０％〜１００％）と、色材量特性とを規定する。
【００２６】
図６から図９は、濃淡色分解基本テーブルに入力される濃インクの色材量データと、出力色材量特性との関係の例を規定したテーブルを示す。テーブルは、横軸に、テーブルに入力される入力色材量を、縦軸に、テーブルに基づいて出力される出力色材量を示す。これらのテーブルは、入力される濃シアンインクの色材量データと、出力される濃シアンの色材量と淡シアンの色材量との関係を示すが、入力される濃マゼンタインクの色材量データと、出力される濃マゼンタの色材量と淡マゼンタの色材量との関係も同様である。
【００２７】
図６および図７は、出力に係る濃淡色材で再現された濃度特性と入力色材量の濃度特性とが等しい関係であるテーブルである。一方、図８および図９は、図１０に示すような場合、すなわち、出力に係る濃淡色材で再現された濃度特性が入力色材量の濃度特性よりも大きくなる関係であるテーブルである。
【００２８】
図６に示すテーブルは、出力淡シアン色材量と出力濃シアン色材量との合計色材量である出力濃淡シアン合計色材量が、入力シアン色材量が８０％のときに最大値をとり、その後減少する特性を有する。すなわち、本テーブルでは、入力シアン色材量データの値が低い所では、出力淡シアンインクの色材量が出力濃シアンインクの色材量よりも大きい。そして、入力シアン色材量が８０％以上になった後に、出力濃シアンインクの色材量が出力淡シアンインクの色材量よりも大きくなる色材量特性を有している。したがって、本テーブルは、途中までは、淡シアンインクが濃シアンインクよりも優先となる色分解を実現することが可能となる濃淡分解基本特性テーブルである。
【００２９】
図７に示すテーブルは、入力シアン色材量が増加するに従い、出力濃淡シアン合計色材量が単調増加する特性を有する。また、常に入力淡シアン色材量が入力濃シアン色材量よりも大きくなる色材量特性を有している。したがって、本テーブルは、淡シアンインクが濃シアンインクよりも優先となる色分解を実現することが可能となる濃淡分解基本特性テーブルである。入力シアン色材量が増加するに従い、出力濃淡シアン合計色材量が単調増加する特性を有する。
【００３０】
図８に示すテーブルは、入力シアン色材量が増加するに従い、出力濃淡シアン合計色材量が単調増加する特性を有する。本テーブルでは、入力シアン色材量データの値が低い所では、出力淡シアンインクの色材量が出力濃シアンインクの色材量よりも大きい。そして、入力シアン色材量が高くなると、出力濃シアンインクの色材量が出力淡シアンインクの色材量よりも大きくなる色材量特性を有している。したがって、本テーブルは、ハイライト側では、淡シアンインクが濃シアンインクよりも優先となり、高濃度になるに従い、濃シアンインクが淡シアンインクよりも優先となる色分解を実現することが可能となる濃淡分解基本特性テーブルである。
【００３１】
図９に示すテーブルは、入力シアン色材量が増加するに従い、出力濃淡シアン合計色材量が単調増加する特性を有する。本テーブルでは、常に、出力淡シアンインクの色材量が出力濃シアンインクの色材量よりも大きくなる色材量特性を有している。したがって、本テーブルは、ハイライト側では、淡シアンインクが濃シアンインクよりも優先となり、高濃度になるに従い、濃シアンインクが淡シアンインクよりも優先となる色分解を実現することが可能となる濃淡分解基本特性テーブルである。高濃度側では、濃シアンインクを１００％まで使用している。
【００３２】
図１０は、図８および図９に示す出力濃度特性および色材量特性との関係を有した濃淡分解基本特性テーブルの、入出力の濃度特性を示すテーブルである。横軸は、入力シアン色材量を示し、縦軸は、出力シアンの濃度を示す。
【００３３】
濃淡のインクに色分解を行わない場合である入力濃シアン濃度に比べ、濃淡のインクに色分解を行う場合の修正濃淡シアン濃度の方が、出力シアン濃度が高くなるのがわかる。したがって、このような濃淡分解基本特性テーブルにより色分解を行った場合には、出力する色再現域を拡大することができる。
【００３４】
ステップＳ６は色分解テーブルの作成処理を行う工程であり、図１１により詳細に説明される。ステップＳ７はテーブル作成を終了するステップである。
【００３５】
図１１は、図３に示すステップＳ６の色分解テーブルの作成処理を示すフローチャートである。ステップＳ１１−１は、所定の面積の記録媒体が吸収できる最大のインク量である総色材量制限値（ＡｍｔＬＩＭＩＴ）を各格子点に設定する。各格子点の目標総色材量制限値をＡｍｔＬＩＭＩＴ（Ｃ，Ｍ，Ｙ，Ｋ）とし、ＡｍｔＬＩＭＩＴ（Ｃ，Ｍ，Ｙ，Ｋ）＝ＡｍｔＬＩＭＩＴとする。
【００３６】
色分解テーブルは、予め所定面積の記録媒体がその吸収性等を考慮して色材の量を制御すべく、Ｃ，Ｍ，Ｙ，Ｋの色材量の合計が、所定の面積の記録媒体が吸収できる最大のインク量である色材量制限値以下になるように、作成される。
【００３７】
ステップＳ１１−２は、Ｒ，Ｇ，Ｂから変換されたＣ１，Ｍ１，Ｙ１，Ｋ１の色材量の合計が、制限値をオーバーしているか否かを判断する工程である。制限量をオーバーしている場合には、ステップＳ１１−３のＣ，Ｍ，Ｙ，Ｋ色材量補正処理を行い、Ｓ１１−６に進む。すなわち、制限量をオーバーしている場合には、制限量までＣ，Ｍ，Ｙ，Ｋの合計色材量を減らし、Ｌｃ，Ｌｍに色分解を行う必要がないことから、Ｓ１１−３に進む。制限量をオーバーしていない場合には、ステップＳ１１−４に進む。
【００３８】
ステップＳ１１−３は、Ｃ，Ｍ，Ｙ，Ｋ色材量補正処理を行う工程である。Ｃ，Ｍ，Ｙ，Ｋの色材量の合計をＡｍｔ（Ｃ，Ｍ，Ｙ，Ｋ）とする。色材量補正処理後の色材量Ｃ２，Ｍ２，Ｙ２，Ｋ２はそれぞれ、
Ｃ２＝Ｃ１×（（ＡｍｔＬＩＭＩＴ（Ｃ，Ｍ，Ｙ，Ｋ）−Ａｍｔ（０，０，０，Ｋ１））／Ａｍｔ（Ｃ１，Ｍ１，Ｙ１，０））
Ｍ２＝Ｍ１×（（ＡｍｔＬＩＭＩＴ（Ｃ，Ｍ，Ｙ，Ｋ）−Ａｍｔ（０，０，０，Ｋ１））／Ａｍｔ（Ｃ１，Ｍ１，Ｙ１，０））
Ｙ２＝Ｙ１×（（ＡｍｔＬＩＭＩＴ（Ｃ，Ｍ，Ｙ，Ｋ）−Ａｍｔ（０，０，０，Ｋ１））／Ａｍｔ（Ｃ１，Ｍ１，Ｙ１，０））
Ｋ２＝Ｋ１
となる。
【００３９】
この結果、目標総色材量制限値を超えた合計色材量を、Ｋの色材量を維持しつつ、Ｃ，Ｍ，Ｙのそれぞれの色材量の割合に応じて減ずることができる。出力されたＣ２，Ｍ２，Ｙ２，Ｋ２の値が、格子点データとして入力される。
【００４０】
ステップＳ１１−４では、合計色材量が目標総色材量に満たない場合に色材量の補正を行う工程である。ここで、ＡｍｔＣｕｐをシアン色材の増加可能量、ＡｍｔＭｕｐをマゼンタ色材の増加可能量とすると、図７から図１０で示すように、ＡｍｔＣｕｐ，ＡｍｔＭｕｐはそれぞれ、
ＡｍｔＣｕｐ＝出力濃淡シアン合計色材量−入力シアン色材量
ＡｍｔＭｕｐ＝出力濃淡マゼンタ合計色材量−入力マゼンタ色材量
となる。
【００４１】
そして、ＡｍｔＣｍａｘ，ＡｍｔＭｍａｘはそれぞれ、
ＡｍｔＬＩＭＩＴ（Ｃ１，Ｍ１，Ｙ１，Ｋ１）−Ａｍｔ（Ｃ１，Ｍ１，Ｙ１，Ｋ１）＞ＡｍｔＣｕｐ＋ＡｍｔＭｕｐのとき、
ＡｍｔＣｍａｘ＝ＡｍｔＣｕｐ＋Ａｍｔ（Ｃ１，０，０，０）
ＡｍｔＭｍａｘ＝ＡｍｔＭｕｐ＋Ａｍｔ（０，Ｍ１，０，０）
ＡｍｔＬＩＭＩＴ（Ｃ１，Ｍ１，Ｙ１，Ｋ１）−Ａｍｔ（Ｃ１，Ｍ１，Ｙ１，Ｋ１）≦ＡｍｔＣｕｐ＋ＡｍｔＭｕｐのとき、
ＡｍｔＣｍａｘ＝（ＡｍｔＬＩＭＩＴ（Ｃ，Ｍ，Ｙ，Ｋ）−Ａｍｔ（Ｃ１，Ｍ１，Ｙ１，Ｋ１））×（ＡｍｔＣｕｐ／（ＡｍｔＣｕｐ＋ＡｍｔＭｕｐ））＋Ａｍｔ（Ｃ１，０，０，０）
ＡｍｔＭｍａｘ＝（ＡｍｔＬＩＭＩＴ（Ｃ，Ｍ，Ｙ，Ｋ）−Ａｍｔ（Ｃ１，Ｍ１，Ｙ１，Ｋ１））×（ＡｍｔＭｕｐ／（ＡｍｔＣｕｐ＋ＡｍｔＭｕｐ））＋Ａｍｔ（０，Ｍ１，０，０）
による演算で求められる。
【００４２】
ステップＳ１１−５は、出力濃度および出力濃淡合計色材量から濃淡分解処理を行う工程であり、図３に示すＳ４で作成した濃度特性と色材量特性のマップを用いて行う。ステップＳ１１−４で求められたＡｍｔＣｍａｘ，ＤｅｎＣから、マップを参照することによりＣ２を、Ｃ３およびＬｃ３に色分解する。すなわち、ＡｍｔＣｍａｘに該当する等色材量ラインを検出し、ＤｅｎＣに該当する等濃度ラインを検出して、濃淡インク値を決定する。同様に、ＡｍｔＭｍａｘ，ＤｅｎＭから、マップを参照することによりＭ１を、Ｍ２およびＬｍ２に色分解する。かかるマップを参照して出力された値を含む、Ｃ２，Ｍ２，Ｙ２，Ｋ２，Ｌｃ２，Ｌｍ２の値が、格子点データとして入力される。
【００４３】
ステップＳ１１−６は、４６変換テーブルの全ての格子点について、インク値を決定したか否かを判断する工程であり、全てが終了していなければ、ステップＳ１１−２からステップＳ１１−５の工程を繰り返す。
【００４４】
ステップＳ１１−６により、全ての格子点について、インク値を決定したと判断した場合には、ステップ６−７により、Ｎ×Ｎ×Ｎ×Ｎ（Ｎは定数）のフィルタを用いて平滑化処理を行う。本実施形態における平滑化処理では、３×３×３×３のフィルタを用いる。
【００４５】
図１２は、本実施形態のフィルタの構成を示す図である。フィルタ係数ａ１１１１からａ３３３３は、ローパスフィルタの特性を有するものが好ましいが、他のフィルタの特性を有するものであってもよい。入力する格子点の座標を（Ｃ，Ｍ，Ｙ，Ｋ）＝（ｉ、ｊ、ｋ、ｌ）とする。図１２に示すフィルタは、横方向にＣおよびＹを変化させ、縦方向にＭおよびＫを変化させている。そして、平滑化前の出力シアン色材量をＣ＿ｉｎｋ（ｉ、ｊ、ｋ、ｌ）とし、平滑化後の出力シアン色材量をＣ＿ｉｎｋ＿ｓｍ（ｉ、ｊ、ｋ、ｌ）とする。また、ａ１１１１からａ３３３３の合計値をｓａｍとする。図１２に示すフィルタにより、平滑化を行うと、
C_ink_sm(i、j、k、l)=
{a1111×C_ink(i-1，j-1，k-1，l-1)+a2111×C_ink(i，j-1，k-1，l-1)＋a3111×C_ink(i+1，j-1，k-1，l-1)
+a1211×C_ink(i-1，j，k-1，l-1)＋a2211×C_ink(i，j，k-1，l-1)+a3211×C_ink(i+1，j，k-1，l-1)
+a1311×C_ink(i-1，j+1，k-1，l-1)＋a2311×C_ink(i，j+1，k-1，l-1)+a3311×C_ink(i+1，j+1，k-1，l-1)
+a1121×C_ink(i-1，j-1，k，l-1)＋a2121×C_ink(i，j-1，k，l-1)+a3121×C_ink(i+1，j-1，k，l-1)
+a1221×C_ink(i-1，j，k，l-1)＋a2221×C_ink(i，j，k，l-1)+a3221×C_ink(i+1，j，k，l-1)
+a1321×C_ink(i-1，j+1，k，l-1)＋a2321×C_ink(i，j+1，k，l-1)+a3321×C_ink(i+1，j+1，k，l-1)
+a1131×C_ink(i-1，j-1，k+1，l-1)＋a2131×C_ink(i，j-1，k+1，l-1)+a3131×C_ink(i+1，j-1，k+1，l-1)
+a1231×C_ink(i-1，j，k+1，l-1)＋a2231×C_ink(i，j，k+1，l-1)+a3231×C_ink(i+1，j，k+1，l-1)
+a1331×C_ink(i-1，j+1，k+1，l-1)＋a2331×C_ink(i，j+1，k+1，l-1)+a3331×C_ink(i+1，j+1，k+1，l-1)
+a1112×C_ink(i-1，j-1，k-1，l)＋a2112×C_ink(i，j-1，k-1，l)+a3112×C_ink(i+1，j-1，k-1，l)
+a1212×C_ink(i-1，j，k-1，l)＋a2212×C_ink(i，j，k-1，l)+a3212×C_ink(i+1，j，k-1，l)
+a1312×C_ink(i-1，j+1，k-1，l)＋a2312×C_ink(i，j+1，k-1，l)+a3312×C_ink(i+1，j+1，k-1，l)
+a1122×C_ink(i-1，j-1，k，l)＋a2122×C_ink(i，j-1，k，l)+a3122×C_ink(i+1，j-1，k，l)
+a1222×C_ink(i-1，j，k，l)＋a2222×C_ink(i，j，k，l)+a3222×C_ink(i+1，j，k，l)
+a1322×C_ink(i-1，j+1，k，l)＋a2322×C_ink(i，j+1，k，l)+a3322×C_ink(i+1，j+1，k，l)
+a1132×C_ink(i-1，j-1，k+1，l)＋a2132×C_ink(i，j-1，k+1，l)+a3132×C_ink(i+1，j-1，k+1，l)
+a1232×C_ink(i-1，j，k+1，l)＋a2232×C_ink(i，j，k+1，l)+a3232×C_ink(i+1，j，k+1，l)
+a1332×C_ink(i-1，j+1，k+1，l)＋a2332×C_ink(i，j+1，k+1，l)+a3332×C_ink(i+1，j+1，k+1，l)
+a1113×C_ink(i-1，j-1，k-1，l+1)＋a2113×C_ink(i，j-1，k-1，l+1)+a3113×C_ink(i+1，j-1，k-1，l+1)
+a1213×C_ink(i-1，j，k-1，l+1)＋a2213×C_ink(i，j，k-1，l+1)+a3213×C_ink(i+1，j，k-1，l+1)
+a1313×C_ink(i-1，j+1，k-1，l+1)＋a2313×C_ink(i，j+1，k-1，l+1)+a3313×C_ink(i+1，j+1，k-1，l+1)
+a1123×C_ink(i-1，j-1，k，l+1)＋a2123×C_ink(i，j-1，k，l+1)+a3123×C_ink(i+1，j-1，k，l+1)
+a1223×C_ink(i-1，j，k，l+1)＋a2223×C_ink(i，j，k，l+1)+a3223×C_ink(i+1，j，k，l+1)
+a1323×C_ink(i-1，j+1，k，l+1)＋a2323×C_ink(i，j+1，k，l+1)+a3323×C_ink(i+1，j+1，k，l+1)
+a1133×C_ink(i-1，j-1，k+1，l+1)＋a2133×C_ink(i，j-1，k+1，l+1)+a3133×C_ink(i+1，j-1，k+1，l+1)
+a1233×C_ink(i-1，j，k+1，l+1)＋a2233×C_ink(i，j，k+1，l+1)+a3233×C_ink(i+1，j，k+1，l+1)
+a1333×C_ink(i-1，j+1，k+1，l+1)＋a2333×C_ink(i，j+1，k+1，l+1)+a3333×C_ink(i+1，j+1，k+1，l+1)}/sum
となる。同様に、
平滑化前の出力マゼンタ色材量をＭ＿ｉｎｋ（ｉ、ｊ、ｋ、ｌ）、平滑化後の出力マゼンタ色材量をＭ＿ｉｎｋ＿ｓｍ（ｉ、ｊ、ｋ、ｌ）、
平滑化前の出力イエロー色材量をＹ＿ｉｎｋ（ｉ、ｊ、ｋ、ｌ）、平滑化後の出力イエロー色材量をＹ＿ｉｎｋ＿ｓｍ（ｉ、ｊ、ｋ、ｌ）、
平滑化前の出力ブラック色材量をＫ＿ｉｎｋ（ｉ、ｊ、ｋ、ｌ）、平滑化後の出力ブラック色材量をＫ＿ｉｎｋ＿ｓｍ（ｉ、ｊ、ｋ、ｌ）、
平滑化前の出力淡シアン色材量をＬｃ＿ｉｎｋ（ｉ、ｊ、ｋ、ｌ）、平滑化後の出力淡シアン色材量をＬｃ＿ｉｎｋ＿ｓｍ（ｉ、ｊ、ｋ、ｌ）、
平滑化前の出力淡マゼンタ色材量をＬｍ＿ｉｎｋ（ｉ、ｊ、ｋ、ｌ）、平滑化後の出力淡マゼンタ色材量をＬｍ＿ｉｎｋ＿ｓｍ（ｉ、ｊ、ｋ、ｌ）、
として、上述と同様にそれぞれ平滑化を行う。
【００４６】
ここで、平滑化処理により、各出力色材量の値が変更されることから、格子点の総色材量Ａｍｔ（Ｃ，Ｍ，Ｙ，Ｋ，Ｌｃ，Ｌｍ）が目標総色材量制限値を超えることがある。ステップＳ１１−８では、平滑化処理の後、全格子点の総色材量が目標総色材量制限値を超えていないかを判断する。全格子点について、総色材量が総色材量制限値を超えていない場合には、色分解テーブルの作成処理を終了する。一方、１つの格子点でも、総色材量が総色材量制限値を超えた場合には、ステップＳ１１−９に進む。
【００４７】
ステップＳ１１−９では、総色材量制限値を超えた格子点について、目標総色材量制限値を更新する。更新される目標総色材量制限値は、ＡｍｔＬＩＭＩＴ´（Ｃ，Ｍ，Ｙ，Ｋ）＝α×ＡｍｔＬＩＭＩＴ（Ｃ，Ｍ，Ｙ，Ｋ）（０＜α＜１）とする。そして、総色材量制限値を超えた格子点については、目標総色材量をＡｍｔＬＩＭＩＴ´（Ｃ，Ｍ，Ｙ，Ｋ）とし、Ｓ１１−２からＳ１１−８を繰り返す。
【００４８】
これらの工程により、αが１に近い値の場合には、Ｓ１１−２からＳ１１−８の工程を何度も繰り返す場合があるものの、総色材量制限値に対して精度のよい補正を実行することができる。
【００４９】
以上により、擬似輪郭の発生を抑制し、総色材量制限値を守った滑らかなテーブルの作成を実現することができる。
【００５０】
（実施形態２）
第１の実施形態では、ステップＳ１１−７の平滑化処理において、ローパスフィルタ等を用いた平滑化処理を全てに色材に対して行った。しかしながら、本発明は全色材について平滑化処理を行わなくてもよく、濃淡色分解処理方法に応じて、特定の色材のみ、また選択した複数の色材について平滑化処理を行ってもよい。例えば、ブラックの色材は、加工修正処理がなされないため、平滑化処理を行わなくてもよい。
【００５１】
（実施形態３）
また、第１および第２の実施形態では、淡い色材色としてシアン、マゼンタを用いた色材を利用して説明したが、淡い色材色は、これに限らず、淡イエロー（Ｌｙ）や淡ブラック（Ｌｋ）の色材を用いた画像形成装置に対しても適用することが可能である。
【００５２】
図１３は、Ｃ，Ｍ，Ｙ，ＫからＣ，Ｍ，Ｙ，Ｋ，Ｌｃ，Ｌｍ，Ｌｙ，Ｌｋに変換する４入力８出力の画像処理装置の構成を示すブロック図である。本実施形態では、４８変換補間演算処理部１４０２で、４８変換テーブル１４０３を用いて、Ｃ，Ｍ，Ｙ，ＫからＣ，Ｍ，Ｙ，Ｋ，Ｌｃ，Ｌｍ，Ｌｙ，Ｌｋに補間される。
【００５３】
なお、本発明の淡色材として使用される色材は、淡シアン、淡マゼンタ、淡イエロー、淡ブラックに限定されず、他の淡い色材であってもよく、複数の淡色材を使用する場合に使用する色材の組合せは、どのような組合せであってもよい。
【００５４】
また、色材の濃度値に基づき、濃淡色分解を行ったが、本発明は色材の明るさによる濃度値に限定されず、明度や輝度に基づくものであってもよい。
【００５５】
（他の実施形態）
上述した実施形態では、コントローラ部２０１が内臓されたタイプのプリンタ１０４を用いたが、図１４に示されているような構成であってもよい。すなわち、コンピュータ１３０１とプリンタ１３０５の中間に位置するコントローラ１３０４のような実施形態により不図示のネットワーク等を利用して実施することも可能である。また、コントローラ２０１の機能がコンピュータ内に実装される、あるいは、ソフトウエアにより処理されるような実施形態であっても良い。
【００５６】
また、実施形態に示されている色分解処理装置、方法が適用される画像形成装置は、インクジェットプリンタ、電子写真プリンタ、そして、熱昇華型プリンタなどであってもよい。すなわち、シアン、マゼンタ、イエロー、ブラックの基本４色に淡シアン、淡マゼンタなどの色材が追加されたシステムであるならば、どのような形態の画像形成装置にて利用することが可能である。
【図面の簡単な説明】
【００５７】
【図１】本発明の一実施形態にかかる記録システムの構成を示すブロック図である。
【図２】本発明の一実施形態にかかる画像処理装置の構成を示すブロック図である。
【図３】本発明の一実施形態にかかる４６変換テーブルを作成するためのフローチャートである。
【図４】クロスパッチの例を示す図である。
【図５】本発明の一実施形態にかかるマップを示す図である。
【図６】本発明の一実施形態にかかる濃淡色分解基本テーブルの例を示す図である。
【図７】本発明の一実施形態にかかる濃淡色分解基本テーブルの例を示す図である。
【図８】本発明の一実施形態にかかる濃淡色分解基本テーブルの例を示す図である。
【図９】本発明の一実施形態にかかる濃淡色分解基本テーブルの例を示す図である。
【図１０】本発明の一実施形態にかかる濃度特性テーブルを示す図である。
【図１１】本発明の他の実施形態にかかる色分解テーブルの作成処理を示すフローチャートである。
【図１２】本発明の他の実施形態にかかるフィルタの構成を示す図である。
【図１３】本発明の一実施形態にかかる画像処理装置の構成を示すブロック図である。
【図１４】本発明の一実施形態にかかる記録システムの構成を示すブロック図である。
【図１５】従来技術の画像処理の構成を示すブロック図である。
【図１６】従来技術の色分解テーブルを示す図である。
【符号の説明】
【００５８】
１０１    コンピュータ
１０２    モニタ
１０３    パッチパターン
１０４    プリンタ
１０５    サンプルパッチ
１０６    スキャナ
【図１】
2007281700.tif 000003
【図２】
2007281700.tif 000004
【図３】
2007281700.tif 000005
【図４】
2007281700.tif 000006
【図５】
2007281700.tif 000007
【図６】
2007281700.tif 000008
【図７】
2007281700.tif 000009
【図８】
2007281700.tif 000010
【図９】
2007281700.tif 000011
【図１０】
2007281700.tif 000012
【図１１】
2007281700.tif 000013
【図１２】
2007281700.tif 000014
【図１３】
2007281700.tif 000015
【図１４】
2007281700.tif 000016
【図１５】
2007281700.tif 000017
【図１６】
2007281700.tif 000018